(57)【要約】【課題】切削加工中に遊技盤が過度に振動したり位置ずれすることがなく高品質に形成された遊技盤を提供する。【解決手段】本発明の遊技盤１は、バキュームテーブル５０に吸引用貫通穴３２，３３，３４を有したルーター加工用盤４０を介在させて切削加工した遊技盤１であって、ルーター加工用盤４０の遊技盤１との当接面４０Ａにおいて、遊技盤１の切削加工しない領域２，３，４とそれぞれ対向する領域４２，４３，４４内にそれぞれ凹部領域４５，４６，４７を形成すると共に、凹部領域４５，４６，４７にそれぞれ吸引用貫通穴３２，３３，３４を連通させ、凹部領域４５，４６，４７を介してバキュームテーブル５０に吸引固定した状態で切削加工した。【選択図】図３
2011206097.tif 000002
【特許請求の範囲】
【請求項１】
バキュームテーブルに吸引用貫通穴を有したルーター加工用盤を介在させて切削加工した遊技盤であって、前記ルーター加工用盤の前記遊技盤との当接面において、前記遊技盤の切削加工しない領域と対向する領域内に凹部領域を形成すると共に、該凹部領域に前記吸引用貫通穴を連通させ、前記凹部領域を介して前記バキュームテーブルに吸引固定された状態で切削加工されたことを特徴とする遊技盤。
【請求項２】
前記ルーター加工用盤の前記凹部領域は、前記ルーター加工用盤と前記遊技盤とを重ね合わせた際に前記遊技盤の切削加工しない領域に対向する領域に沿うように形成されている請求項１に記載の遊技盤。
【請求項３】
前記ルーター加工用盤の前記凹部領域は、前記ルーター加工用盤と前記遊技盤とを重ね合わせた際に前記遊技盤の液晶画面露呈部の周囲に沿うように形成されている請求項２に記載の遊技盤。
【請求項４】
前記遊技盤は、前記遊技盤の切削加工しない隅部においても吸引固定されたものである請求項１ないし３のいずれかに記載の遊技盤。
【発明の詳細な説明】
【技術分野】
【０００１】
本発明は、パチンコ機またはパチスロ機の遊技盤に関する。
【背景技術】
【０００２】
パチンコ機の遊技盤には、始動入賞装置や大入賞装置等の遊技役物装置を取り付けるための取付孔を切削形成する必要がある。また、遊技盤には、液晶画面を露呈させるための液晶画面露呈部を切削形成する必要がある。
このような取付孔や液晶画面露呈部は、バキュームテーブル上に遊技盤を載置固定した後、切削手段（ルーター）を用いて切削加工して形成している。具体的には、バキュームテーブル上に、四隅付近に吸引用貫通穴を設けたルーター加工用盤を載置し、その上面に遊技盤を載置し、吸引用貫通穴を介して遊技盤を吸引固定した状態で切削加工を行っている。
【０００３】
しかし、表面側右下隅付近に大入賞装置を備えたパチンコ機の遊技盤の場合は、右下隅が切削部位となるため、吸引部位とすることができず、三隅のみの吸引では十分な吸着効果が得られないという問題があった。また、液晶画面露呈部は演出をより多彩で効果的なものとするために遊技盤中央付近に大きく形成される傾向にあり、隅部のみの吸引では十分な吸着効果が得られず、切削加工中に遊技盤の切削部位が過度に振動したり位置ずれたりして加工精度が低下し、遊技盤の品質低下を招くことがあった。
【先行技術文献】
【特許文献】
【０００４】
【特許文献１】引用なし
【発明の開示】
【発明が解決しようとする課題】
【０００５】
そこで、本発明の課題は、切削加工中に遊技盤が過度に振動したり位置ずれすることがなく高品質に形成された遊技盤を提供することにある。
【課題を解決するための手段】
【０００６】
上記課題を解決するものは、バキュームテーブルに吸引用貫通穴を有したルーター加工用盤を介在させて切削加工した遊技盤であって、前記ルーター加工用盤の前記遊技盤との当接面において、前記遊技盤の切削加工しない領域と対向する領域内に凹部領域を形成すると共に、該凹部領域に前記吸引用貫通穴を連通させ、前記凹部領域を介して前記バキュームテーブルに吸引固定された状態で切削加工されたことを特徴とする遊技盤である。
【０００７】
前記ルーター加工用盤の前記凹部領域は、前記ルーター加工用盤と前記遊技盤とを重ね合わせた際に前記遊技盤の切削加工しない領域に対向する領域に沿うように形成されていることが好ましい。前記ルーター加工用盤の前記凹部領域は、前記ルーター加工用盤と前記遊技盤とを重ね合わせた際に前記遊技盤の液晶画面露呈部の周囲に沿うように形成されていることが好ましい。前記遊技盤は、前記遊技盤の切削加工しない隅部においても吸引固定されたものであることが好ましい。
【発明の効果】
【０００８】
請求項１に記載した発明によれば、切削加工中に遊技盤が過度に振動したり位置ずれすることがなく高品質に形成された遊技盤となる。
請求項２に記載した発明によれば、遊技盤の吸引部位となる凹部領域がより広く形成されるため、上記請求項１の効果をより奏する遊技盤が構成される。
請求項３に記載した発明によれば、遊技盤の吸引部位となる凹部領域が最も大きく切削される部分の周囲に広領域に渡って形成されるため、上記請求項１の効果をより奏する遊技盤が構成される。
請求項４に記載した発明によれば、遊技盤が隅部においても吸引されるため、上記請求項１の効果をより奏する遊技盤が構成される。
【図面の簡単な説明】
【０００９】
【図１】本発明の遊技盤の一実施例の正面図である。
【図２】図１に示した遊技盤の切削加工時に使用されるルーター加工用盤の正面図である。
【図３】図１に示した遊技盤のルーター加工用盤への重ね合わせ方法を説明するための斜視図である。
【図４】図１に示した遊技盤のバキュームテーブルへの配置状態を説明するための縦断面概略図である。
【発明を実施するための形態】
【００１０】
本発明では、ルーター加工用盤４０の遊技盤１との当接面４０Ａにおいて、遊技盤１の切削加工しない領域２，３，４と対向する領域４２，４３，４４内にそれぞれ凹部領域４５，４６，４７を形成すると共に、凹部領域４５，４６，４７に吸引用貫通穴３２，３３，３４を連通させ、遊技盤１を凹部領域４２，４３，４４を介してバキュームテーブル５０に吸引固定した状態で切削加工することにより、バキュームテーブル５０上で十分な吸着効果が得られ、切削加工中に遊技盤が過度に振動したり位置ずれして加工精度が低下することがなく、品質を高度に保持した遊技盤を実現した。
【実施例１】
【００１１】
本発明の遊技盤を図１ないし図４に示した一実施例を用いて説明する。
この実施例の遊技盤１は、バキュームテーブル５０に吸引用貫通穴３２，３３，３４を有したルーター加工用盤４０を介在させて切削加工した遊技盤１であって、ルーター加工用盤４０の遊技盤１との当接面４０Ａにおいて、遊技盤１の切削加工しない領域２，３，４とそれぞれ対向する領域４２，４３，４４内にそれぞれ凹部領域４５，４６，４７を形成すると共に、凹部領域４５，４６，４７にそれぞれ吸引用貫通穴３２，３３，３４を連通させ、凹部領域４５，４６，４７を介してバキュームテーブル５０に吸引固定した状態で切削加工した遊技盤である。以下、各構成について順次詳述する。
【００１２】
遊技盤１はパチンコ機の遊技盤であり、ベニヤ板などの木製積層板の表面（正面側）に装飾用絵柄や着色を施したセルシートが接着固定され形成されている。遊技盤１は、図１に示すように、正面視略矩形に形成されており、ルーター加工にて切削される液晶画面露呈部５、始動入賞装置や大入賞装置等の遊技役物装置を取り付けるための取付孔６，７，８が貫通して設けられる。
【００１３】
これら液晶画面露呈部５および取付孔６，７，８は、図４に示すように、バキュームテーブル５０と遊技盤１との間にルーター加工用盤４０を介在させて吸引固定した後、切削手段（ルーター）６０にて切削加工して形成される。
【００１４】
ルーター加工用盤４０はベニヤ板などの木製積層板にて形成されており、図２に示すように、正面視矩形に形成されている。ルーター加工用盤４０は横幅（図２中左右方向の長さ）が遊技盤１と同一で縦幅（図２中上下方向の長さ）が遊技盤１より若干長く形成されている。
【００１５】
そして、遊技盤１およびルーター加工用盤４０は、図３に示すように、遊技盤１とルーター加工用盤４０との横幅が揃えられ、かつ、遊技盤１の下端辺１ａとルーター加工用盤４０の上端辺４０ａが揃えられ、さらに、ルーター加工用盤４０の当接面４０Ａと遊技盤１と正面側とが重ね合わされた状態で、図４に示すように、バキュームテーブル５０に配される。なお、図３の遊技盤１は切削加工された後の遊技盤である。
【００１６】
バキュームテーブル５０は、図４に示すように、遊技盤１を切削加工する際に、遊技盤１およびルーター加工用盤４０を吸引固定するためのものであり、遊技盤１およびルーター加工用盤４０を配置可能な寸法に形成された配置面５１を有している。
【００１７】
バキュームテーブル５０の内部には、図４に示すように、空気が流通する空気流通路５２と、空気流通路５２からバキュームテーブル５０の配置面５１へと貫通した貫通路５３とが形成されている。さらに、空気流通路５２の一端は導通管５４を介して真空ポンプ５５と導通している。
【００１８】
真空ポンプ５５は、導通管５４を介して空気流通路５２および貫通路５３内の空気を吸引する空気吸引作業と、導通管５４を介して空気流通路５２および貫通路５３内へ空気を注入する空気注入作業とを行うものである。
【００１９】
真空ポンプ５５によって空気吸引作業が行われると、バキュームテーブル５０の配置面５１上の空気が、貫通路５３、空気流通路５２および導通管を介して吸引され、これにより、バキュームテーブル５０の配置面５１に配されたルーター加工用盤４０をバキュームテーブル５０に吸着させて固定させることができる。他方、真空ポンプ５５によって空気注入作業が行われると、導通管５４、空気流通路５２および貫通路５３を介して配置面５１上に空気が注入され、これにより、バキュームテーブル５０によるルーター加工用盤４０の吸着固定を解除できるように構成されている。
【００２０】
バキュームテーブル５０の配置面５１に貫通する貫通路５３は、配置面５１の全域に渡ってそれらの貫通面が多数現れるように設けられており、ルーター加工用盤４０を配置面５１の所定位置に配すると、貫通路５３とルーター加工用盤４０に設けられた吸引用貫通穴３２，３３，３４，３５，３６はそれぞれ連通するように構成されている。これによって、真空ポンプ５５にて空気吸引作業を行うと、ルーター加工用盤４０の当接面４０ａ側に配された遊技盤１も吸着され固定されるように構成されている。
【００２１】
そして、本発明では、このようなルーター加工用盤４０と遊技盤１との吸着状態をより強固なものとするために、ルーター加工用盤４０の当接面４０Ａにおいて、遊技盤１の切削加工しない領域２，３，４（図１または図３参照）とそれぞれ対向する領域（遊技盤の切削しない領域に対応する領域）４２，４３，４４（図２または図３参照）内にそれぞれ凹部領域４５，４６，４７を形成すると共に、凹部領域４５，４６，４７にそれぞれ吸引用貫通穴３２，３３，３４を連通させ、凹部領域４５，４６，４７を介してバキュームテーブル５０に吸引固定できるように構成されている。
【００２２】
このように、本発明の遊技盤１は、凹部領域４５，４６，４７が広範囲に渡って形成されたルーター加工用盤４０によって吸引固定されるため、切削加工中に遊技盤、特にその切削部位が過度に振動することがなく、遊技盤１とルーター加工用盤４０とがずれることもなく、品質を高度に保持した遊技盤が形成される。また、この遊技盤１のように、大入賞装置を取り付けるための取付孔７が正面右下の設けられるものは右下隅部での吸引が十分に行えず、遊技盤全体に占める液晶画面露呈部５の占有率も大きいため、凹部領域４５，４６，４７による広範囲な吸引は極めて有効である。
【００２３】
なお、ルーター加工用盤４０の凹部領域４５，４６，４７は、ルーター加工用盤４０と遊技盤１とが重ね合わされた際に遊技盤１の切削加工しない領域２，３，４に対向する領域に沿うようにそれぞれ形成されている。これにより、遊技盤１の吸引部位となる凹部領域４５，４６，４７をより広く形成できるため、吸着効果をより高めることができる。
【００２４】
また、ルーター加工用盤４０の凹部領域４５，４６，４７は、ルーター加工用盤４０と遊技盤１とが重ね合わされた際に遊技盤１の液晶画面露呈部５の周囲に沿うように形成されている。これにより、遊技盤１の吸引部位となる凹部領域４５，４６，４７が、遊技盤の中央付近において最も大きく切削される部分の周囲に広領域に渡って形成されるため、吸着効果をさらに高めることができる。また、液晶画面露呈部５を切削加工する際に振動を抑制することができ、加工精度をより高めることができる。
【００２５】
さらに、遊技盤１は、遊技盤１の切削加工しない隅部においても吸引固定されるように構成されている。具体的には、ルーター加工用盤４０の図２中右下付近には吸引用貫通穴３５が設けられ、図２中左上付近には吸引用貫通穴３６が設けられ、これらがバキュームテーブル５０内の貫通路５３と連通するように構成されているため、遊技盤１はそれらとそれぞれ対向する右上隅部および左下隅部においても吸引固定される。これにより、吸着効果をさらに高めることができる。
【００２６】
以上のように、本発明の遊技盤は切削工程に際してバキュームテーブルに強固に吸引固定されて切削加工されたものであるため、加工精度が低下することなく、品質を高度に保持した遊技盤となる。
【符号の説明】
【００２７】
１    遊技盤
２，３，４    切削加工しない領域
５    液晶画面露呈部
６，７，８    取付孔
３２，３３，３４  吸引用貫通穴
４０  ルーター加工用盤
４２，４３，４４  遊技盤の切削加工しない領域に対向する領域
４５，４６，４７  凹部領域
５０  バキュームテーブル
６０  切削手段
【図１】
2011206097.tif 000003
【図２】
2011206097.tif 000004
【図３】
2011206097.tif 000005
【図４】
2011206097.tif 000006